(57)【特許請求の範囲】
【請求項１】
モータ及び減速ブロックを上下に配置して内蔵した本体と、この本体下部に前方へ突設してモータ及び減速ブロックにより往復駆動する切刃と、この本体上部に突設してモータ及び減速ブロック位置よりも前方に配置したグリップと、該グリップに設けたモータ駆動用のスイッチと、該グリップと切刃との間に設けた保護カバーとを備えてなり、該グリップと該保護カバーとを先端部で一体に形成してなることを特徴とする刈込み装置。
【請求項２】
本体の左右から補助グリップをそれぞれグリップ先端部に向けて突設するとともに、両補助グリップの先端部とグリップ先端部とを一体に形成してなることを特徴とする請求項１に記載の刈込み装置。
【発明の詳細な説明】
【０００１】
【発明の属する技術分野】
本発明は、庭木などの樹木の剪定や草刈に用いられる刈込み装置に関するものである。
【０００２】
【従来の技術】
従来、刈込み装置として、モータを内蔵した本体と、この本体下部に前方へ突設してモータにより往復駆動する切刃と、この本体上部に後方へ突設したグリップとから形成したものがある。本体には、商用電源に電気接続するための電源コード、モータを回転駆動させるスイッチ、モータに連結されて低速にする減速ブロック、減速ブロックに連結されて回転する回転軸、回転軸と切刃を連結して回転運動を往復運動に変換する偏心カムなどが取り付けられている。
【０００３】
このような刈込み装置では、グリップを手で支え、スイッチを投入してモータを回転させて切刃を前後方向に往復運動させ、切刃両側の櫛刃状の切断部を庭木の枝や草に当てることにより、樹木の剪定や草刈を行うようにしている。
【０００４】
【発明が解決しようとする課題】
しかしながら、上記従来の刈込み装置では、モータや切刃などにより全体の重量が重くなったものを端部に設けたグリップを手で支えて刈込み作業を行うものであり、使いにくいとともに、この作業を長時間行うと、手にかかる負担が大きくなって疲れやすくなり、安全性が低いという問題がある。
【０００５】
本発明は、上記事由に鑑みてなされたものであり、その目的は、使用者が疲れにくくて使いやすく、安全性が向上した刈込み装置を提供することにある。
【０００６】
【課題を解決するための手段】
請求項１記載の発明は、モータ及び減速ブロックを上下に配置して内蔵した本体と、この本体下部に前方へ突設してモータ及び減速ブロックにより往復駆動する切刃と、この本体上部に突設してモータ及び減速ブロック位置よりも前方に配置したグリップと、該グリップに設けたモータ駆動用のスイッチと、該グリップと切刃との間に設けた保護カバーとを備えてなり、該グリップと該保護カバーとを先端部で一体に形成してなることを特徴として構成している。
【０００７】
このような刈込み装置では、グリップが本体のモータ位置よりも前方に配置されているので、グリップが重量の重いモータや切刃の間にある重心位置に近い側に配置されることになり、グリップを手で支えたときのバランスが良く、使いやすいとともに刈込み作業を長時間行っても疲れにくいものとなっている。また、本体のグリップと切刃との間に保護カバーを設けているので、切刃により切断されて飛散する枝葉を保護カバーで遮蔽し、作業者の手元に届かないようにしており、安全性が向上している。さらに、グリップと保護カバーとが先端部で一体に形成されているので、グリップと保護カバーの取り付け強度が向上している。
【０００８】
また、請求項２記載の発明は、請求項１記載の発明において、本体の左右から補助グリップをそれぞれグリップ先端部に向けて突設するとともに、両補助グリップの先端部とグリップ先端部とを一体に形成してなることを特徴として構成している。
【０００９】
このような刈込み装置では、補助グリップを設けているので、グリップを一方の手で支え、補助グリップのどちらかを他方の手で支えて刈込み作業を行えるため、手にかかる負担を両手に分散させることになり、より疲れにくいものとなっている。
【００１０】
【発明の実施の形態】
以下、本発明の実施の形態を図１乃至５に基づいて説明する。
【００１１】
図１は、本発明の実施の形態の刈込み装置を示す一部破断視した側面図である。
【００１２】
図１に示すように、この刈込み装置は、モータ１を内蔵した本体２と、この本体２下部に前方へ突設してモータ１により往復駆動する切刃４と、この本体２上部に突設してモータ１位置よりも前方に配置したグリップ３とを備えているものである。
【００１３】
また、基部を本体２に固定して対向配置した上下一対の保持板５ａ，５ｂと、櫛状の刃部を有し、両保持板５ａ，５ｂ間に保持されて差動状に往復運動して刃部を擦り合わせて切断作用をなす少なくとも一方を可動とした上下一対の切刃４ａ，４ｂと、両切刃４ａ，４ｂ間に介装されて上下の切刃４ａ，４ｂの基部が接触しないよう遮蔽する中間材９とを備えている。このような刈込み装置として例えば庭木バリカンが挙げられ、以下庭木バリカンに関して説明を行う。
【００１４】
庭木バリカンは、本体２の前部に長尺の上下の切刃４ａ，４ｂを突出させ、上部にスイッチ１１を有するグリップ３を設けている。本体２の内部にはモータ１および減速ブロック６を設け、この減速ブロック６に回転出力軸７が取り付けられている。保持板５ａ，５ｂは、本体２下部に基部が固定され長手方向に間隔を隔ててリベットのような結合部（図示せず）にて遊嵌結合し、この両保持板５ａ，５ｂ間に上下の切刃４ａ，４ｂを往復運動自在に保持している。
【００１５】
回転出力軸７には、切刃４ａ，４ｂと連結して往復運動させるための偏心カム８が取り付けられている。偏心カム８は、略円盤状に形成され、回転出力軸７下部の上下に離間してそれぞれ中心をずらして固定され、回転出力軸７の回転により楕円回転を行う。また偏心カム８は互いに回転の位相が１８０度反対になるよう配置され、上側の偏心カム８ａが前側に突出したときには、下側の偏心カム８ｂは後側に突出し、上側の偏心カム８ａが後側に突出したときには、下側の偏心カム８ｂは前側に突出するようにしている。また切刃４ａ，４ｂには、それぞれ偏心カム８ａ，８ｂと係合する連係孔が設けられ、連係孔に偏心カム８を係合して切刃４ａ，４ｂが差動状に往復運動するようにしている。
【００１６】
また、中間材９は、略平板状に形成され、後部が下側の保持板５ｂに固定され、切刃４ａ，４ｂが接触しないように仕切っている。
【００１７】
このような庭木バリカンでは、スイッチ１１を投入してモータ１を回転させることにより、減速ブロック６を介して回転出力軸７が低速回転し、偏心カム８が互いに１８０度位相の異なる楕円回転を行い、切刃４ａ，４ｂが差動状に往復運動して刃部を擦り合わせることによって、庭木の枝などを切断する。また、グリップ３が本体２のモータ１位置よりも前方に配置されているので、グリップ３が重量の重いモータ１や切刃４の間にある重心位置に近い側に配置されることになり、グリップ３を手で支えたときのバランスが良く、使いやすいとともに刈込み作業を長時間行っても疲れにくいものとなっている。
【００１８】
図２は、本発明の実施の形態の同上と異なる刈込み装置を示す側面図である。
【００１９】
図２に示すように、この刈込み装置は、同上に示すものと同様に、モータ１を内蔵した本体２と、この本体２下部に前方へ突設してモータ１により往復駆動する切刃４と、この本体２上部に突設してモータ１位置よりも前方に配置したグリップ３とを備えているものである。異なる点は、本体２のグリップ３と切刃４との間に保護カバー１２を設けていることである。保護カバー１２は、板状に形成されて本体２における切刃４根元部分にグリップ３先端部に向けて斜め上方へ突設されている。
【００２０】
このような刈込み装置では、本体２のグリップ３と切刃４との間に保護カバー１２を設けているので、切刃４により切断されて飛散する枝葉を保護カバー１２で遮蔽し、作業者の手元に届かないようにしており、安全性が向上している。
【００２１】
図３は、本発明の実施の形態の同上と異なる刈込み装置を示す側面図である。
【００２２】
図３に示すように、この刈込み装置は、同上に示すものと同様に、モータ１を内蔵した本体２と、この本体２下部に前方へ突設してモータ１により往復駆動する切刃４と、この本体２上部に突設してモータ１位置よりも前方に配置したグリップ３とを備え、本体２のグリップ３と切刃４との間に保護カバー１２を設けている。異なる点は、グリップ３と保護カバー１２とを先端部で一体に形成していることである。
【００２３】
このような刈込み装置では、グリップ３と保護カバー１２とが先端部で一体に形成されているので、グリップ３と保護カバー１２の取り付け強度が向上している。
【００２４】
図４は、本発明の実施の形態の同上と異なる刈込み装置を示す側面図である。
【００２５】
図４に示すように、この刈込み装置は、同上に示すものと同様に、モータ１を内蔵した本体２と、この本体２下部に前方へ突設してモータ１により往復駆動する切刃４と、この本体２上部に突設してモータ１位置よりも前方に配置したグリップ３とを備え、本体２のグリップ３と切刃４との間に保護カバー１２を設け、グリップ３と保護カバー１２とを先端部で一体に形成している。異なる点は、本体２の左右から補助グリップ１３をそれぞれ前方へ突設するとともに、両補助グリップ１３の先端部とグリップ３先端部とを一体に形成していることである。左右の補助グリップ１３は、ほぼ対称位置に設けられており、略矩体状の本体２側面に側方へ突設された直線部と、この直線部先端をグリップ３先端部に向けて曲折して延設し、先端をグリップ３先端部に一体とした曲折部とから形成されている。
【００２６】
このような刈込み装置では、補助グリップ１３を設けているので、グリップ３を一方の手で支え、補助グリップ１３のどちらかを他方の手で支えて刈込み作業を行えるため、手にかかる負担を両手に分散させることになり、より疲れにくいものとなっている。
【００２７】
図５は、本発明の実施の形態の同上と異なる刈込み装置を示す側面図である。
【００２８】
図５に示すように、この刈込み装置は、同上に示すものと同様に、モータ１を内蔵した本体２と、この本体２下部に前方へ突設してモータ１により往復駆動する切刃４と、この本体２上部に突設してモータ１位置よりも前方に配置したグリップ３とを備えている。異なる点は、モータ１長手方向を水平にすなわちモータ１を横置きにし、本体２後端部に配置していることである（図示せず）。この場合、モータ１の回転軸方向と回転出力軸とが直角方向になるが、減速ブロックとしてウォームギアを用いることにより、回転方向を直角方向に変換している。また、グリップ３の前端部および後端部がそれぞれ本体２の前端部および後端部と一体に形成され、上方に配置されたグリップ３とその下方に配置された本体２との間にグリップ３を握る手を収納する空間が形成され、スイッチ１１がグリップ３前部の下方に突設されている。
【００２９】
このような刈込み装置では、モータ１を横置きにしているので、全体のバランスが良くなり、疲れにくいものとなっている。
【００３０】
【発明の効果】
請求項１の発明は、グリップが本体のモータ位置よりも前方に配置されているので、グリップが重量の重いモータや切刃の間にある重心位置に近い側に配置されることになり、グリップを手で支えたときのバランスが良く、使いやすいとともに刈込み作業を長時間行っても疲れにくいものとなっている。また、本体のグリップと切刃との間に保護カバーを設けているので、切刃により切断されて飛散する枝葉を保護カバーで遮蔽し、作業者の手元に届かないようにしており、安全性が向上している。さらに、グリップと保護カバーとが先端部で一体に形成されているので、グリップと保護カバーの取り付け強度が向上している。
【００３１】
請求項２の発明は、補助グリップを設けているので、グリップを一方の手で支え、補助グリップのどちらかを他方の手で支えて刈込み作業を行えるため、手にかかる負担を両手に分散させることになり、より疲れにくいものとなっている。
【図面の簡単な説明】
【図１】  本発明の実施の形態の刈込み装置を示す一部破断視した側面図である。
【図２】  本発明の実施の形態の同上と異なる刈込み装置を示す側面図である。
【図３】  本発明の実施の形態の同上と異なる刈込み装置を示す側面図である。
【図４】  本発明の実施の形態の同上と異なる刈込み装置を示す側面図である。
【図５】  本発明の実施の形態の同上と異なる刈込み装置を示す側面図である。
【符号の説明】
１  モータ
２  本体
３  グリップ
４  切刃
５  保持板
６  減速ブロック
７  時計部
８  偏心カム
９  中間材
１０  電源コード
１１  スイッチ
１２  保護カバー
１３  補助グリップ
【図１】
0004325145.tif 000002
【図２】
0004325145.tif 000003
【図３】
0004325145.tif 000004
【図４】
0004325145.tif 000005
【図５】
0004325145.tif 000006